(57)【要約】【課題】求める施設が所定の位置（地点）に欲しいときに、場所と施設を提案することができるナビゲーション装置を提供する。【解決手段】ナビゲーション装置１０は、地図データ記憶部３０と、位置指定部２２と、施設設置提案部２６と、を備える。地図データ記憶部３０は、施設情報を含む地図データを記憶する。位置指定部２２は、前記地図データに基づき表示部３２に表示された地図上の所望の位置を指定する。施設設置提案部２６は、前記指定位置に所望の施設の設置を提案する。【選択図】図２
2012002583.tif 000002
【特許請求の範囲】
【請求項１】
施設情報を含む地図データを記憶する地図データ記憶部と、
前記地図データに基づき表示部に表示された地図上の所望の位置を指定する位置指定部と、
前記位置指定部により指定された指定位置に所望の施設の設置を提案する施設設置提案部と、
を備えることを特徴とするナビゲーション装置。
【請求項２】
請求項１記載のナビゲーション装置において、
さらに、前記位置指定部により指定された指定位置を含む所定の範囲内で、前記所望の施設の存在の有無を前記地図データから検索する施設検索部を備え、
前記施設設置提案部は、
前記施設検索部により、前記所定の検索範囲内に、前記所望の施設が存在しないことが確認された場合に、前記指定位置に前記所望の施設の設置を提案する
ことを特徴とするナビゲーション装置。
【請求項３】
請求項１又は２記載のナビゲーション装置において、
前記施設設置提案部により提案された前記指定位置及び前記所望の施設を表す情報を外部装置に送信する
ことを特徴とするナビゲーション装置。
【発明の詳細な説明】
【技術分野】
【０００１】
この発明は、位置情報と連動したデジタルコンテンツである施設情報、いわゆるＰＯＩ（Ｐｏｉｎｔ  Ｏｆ  Ｉｎｔｅｒｅｓｔ）情報を含む地図データを記憶する地図データ記憶部を有するナビゲーション装置に関する。
【背景技術】
【０００２】
特許文献１の背景技術の項に、近年、音声対話システムによる情報検索サービスが進んでいることが開示されている。この情報検索サービスは、ナビゲーション装置で目的地を検索するときに利用され、レジャー施設を目的地とする場合には、ディズニーランド等のレジャー施設名や、遊園地、水族館等のジャンルをキーワードとして、その施設の場所に関する情報等の検索をナビゲーション装置に依頼することで取得することができ、検索結果を、ユーザの嗜好データや履歴を考慮して提示させることもできるとされている。
【０００３】
また、特許文献１には、情報提案機器が、ユーザの所定施設への到着並びに当該所定施設での滞在時間等の行動を認識し、これを契機（トリガ）として、情報提供用シナリオデータを起動しユーザが次に採る可能性のある行動を検索し、この行動に対応する情報をユーザに提案する技術も開示されている。
【先行技術文献】
【特許文献】
【０００４】
【特許文献１】特開２００８−２０９８０号公報（［０００２］、［００３８］）
【発明の概要】
【発明が解決しようとする課題】
【０００５】
しかしながら、上記従来技術に係るナビゲーション装置においては、ユーザが所望する地図上の位置に、所望の施設が存在しない場合には、ユーザは諦める以外に為す術がないという課題がある。
【０００６】
この発明はこのような課題を考慮してなされたものであり、ユーザが所望する地図上の位置に、所望の施設が存在しない場合であっても、ユーザの意思を尊重することを可能とするナビゲーション装置を提供することを目的とする。
【課題を解決するための手段】
【０００７】
この発明に係るナビゲーション装置は、施設情報を含む地図データを記憶する地図データ記憶部と、前記地図データに基づき表示部に表示された地図上の所望の位置を指定する位置指定部と、前記位置指定部により指定された指定位置に所望の施設の設置を提案する施設設置提案部と、を備えることを特徴とする。
【０００８】
この発明によれば、ユーザが地図上で指定した所望の指定位置に、所望の施設の設置を提案する施設設置提案部を備えているので、ユーザが所望する位置に、所望の施設が存在しない場合であっても、所望の位置に所望の施設の設置を提案することが可能となり、ユーザの意思を尊重することができる。
【０００９】
この場合、さらに、前記指定位置を含む所定の範囲内で、前記所望の施設の存在の有無を前記地図データから検索する施設検索部を備え、前記施設設置提案部は、前記施設検索部により、前記所定の検索範囲内に、前記所望の施設が存在しないことが確認された場合に、前記指定位置に前記所望の施設の設置を提案するようにすることで、前記指定位置を含む所定の範囲内に所望の施設の設置を提案することができる。
【００１０】
なお、前記施設設置提案部により提案された前記指定位置及び前記所望の施設を表す情報を外部装置に送信するようにすることで、当該外部装置で、例えば、提案された前記指定位置及び前記所望の施設を表す情報を統計処理することができる等、所望の施設の設置提案をより有意義に尊重することができる。
【発明の効果】
【００１１】
この発明によれば、ユーザが所望する地図上の位置に、所望の施設が存在しない場合であっても、その位置にその施設の設置を提案することが可能となり、ユーザの意思を尊重することができるという効果が達成される。
【図面の簡単な説明】
【００１２】
【図１】この発明の一実施形態に係るナビゲーション装置が適用された提案情報収集システムの模式的構成図である。
【図２】ナビゲーション装置の詳細な構成を含む車両のブロック図である。
【図３】第１実施例の作用説明図である。
【図４】第２実施例の作用説明図（その１）である。
【図５】第２実施例の作用説明図（その２）である。
【発明を実施するための形態】
【００１３】
以下、この発明の一実施形態に係るナビゲーション装置について、添付の図面を参照しながら説明する。
【００１４】
図１は、この実施形態に係るナビゲーション装置１０が適用された提案情報収集システム１２の構成例を示している。
【００１５】
この提案情報収集システム１２は、ナビゲーション装置１０及び通信端末１６を搭載した車両（自車両）１４と、移動通信網１８と、外部装置としての情報センタ２０（施設設置提案収集設備、収集設備）とから構成されている。情報センタ２０は、提案データ（提案情報）を格納する提案データ記憶部１０４を有するサーバ１０２を備える。
【００１６】
車両１４内のユーザ（運転手等の乗員）の鞄あるいはポケット等に収納されている携帯電話等の通信端末１６は、例えば、無線でナビゲーション装置１０に接続されるとともに図示しない基地局を含む移動通信網１８を通じて情報センタ２０に無線接続される。この実施形態に係る通信端末１６は、電話機能とともにデータ通信機能を備える。
【００１７】
図２は、ナビゲーション装置１０の詳細な構成例を含む車両１４のブロック図である。
【００１８】
図２から分かるように、ナビゲーション装置１０は、ナビゲーション装置本体｛ナビゲーションＥＣＵ（Ｅｌｅｃｔｒｏｎｉｃ  Ｃｏｎｔｒｏｌ  Ｕｎｉｔ）又は単にＥＣＵ（制御部）ともいう。｝１１と、このナビゲーション装置本体１１に接続される、記憶装置（メモリ）であるハードディスク（ハードディスクドライブ）３１と、入力装置３４と、ディスクドライブ（記録媒体読取装置）３５と、表示部（モニタ、ディスプレイ）３２と、スピーカ（音声出力装置）３６と、現在位置検出装置（現在地点検出装置）４２と、を備える。
【００１９】
通信端末１６は、ナビゲーション装置本体１１に、Ｂｌｕｅｔｏｏｔｈ（登録商標）等により無線で接続されている。通信端末１６とナビゲーション装置本体１１とを、有線で接続することもできる。
【００２０】
ここで、表示部３２は、施設情報（ＰＯＩ情報）を地図上に表示する液晶表示器等から構成され、入力装置３４は、例えば、その表示部３２上のタッチスクリーン及び（又は）ナビゲーション装置本体１１の図示しないパネル部上の操作ボタン等により構成される。
【００２１】
ディスクドライブ３５は、例えば、施設情報を含む更新用の地図データ等が記録された記録媒体であるＣＤ、ＤＶＤ、ＢＤ等の各ディスクを再生することができる。
【００２２】
ハードディスク３１は、施設情報を含む地図データを記憶する地図データ記憶部３０等を有する。
【００２３】
ナビゲーション装置本体１１は、マイクロコンピュータを含む計算機であり、ＣＰＵ（中央処理装置）、メモリ（記憶部）であるＲＯＭ（ＥＥＰＲＯＭも含む。）、及びＲＡＭ（ランダムアクセスメモリ）、その他、Ａ／Ｄ変換器、Ｄ／Ａ変換器等の入出力装置、及び計時手段としてのタイマ等を有しており、ＣＰＵがＲＯＭに記録されているプログラムを読み出し実行することで各種機能実現部（機能実現手段）、例えば制御部、演算部、処理部等として機能する。
【００２４】
この実施形態において、ナビゲーション装置本体１１は、より具体的な機能実現部として、それぞれ詳細を後述する位置指定部２２、施設検索部２４及び施設設置提案部２６を備える。
【００２５】
ナビゲーション装置１０は、一般的には、地図データ記憶部３０に記録されている地図データに基づいて、入力装置３４を通じてユーザにより設定された目的地までの推奨経路を探索し、その推奨経路に従って車両１４を誘導することにより、目的地までユーザを案内する機能を有する。
【００２６】
地図データ記憶部３０に記憶されている地図データは、ディスクドライブ３５に挿入されたディスクを通じて更新することが可能であり、又は、情報センタ２０が地図データ配信センタとしての機能を有する場合には、その情報センタ２０から送信され、移動通信網１８を経由し通信端末１６を通じて受信される地図データ（施設情報を含む地図データ）によって、ナビゲーション装置１０の地図データ記憶部３０に記憶されている地図データを部分的に更新することができる。
【００２７】
ナビゲーション装置１０の現在位置検出装置４２は、自車両１４の現在位置（現在地）を検出する装置であり、周知のように、例えば、自車両１４の進行方位を検出する振動ジャイロ（ＧＹＲＯ）３９、車速（ＶＳ）を検出する車速センサ４０、ＧＰＳ衛星からのＧＰＳ信号を検出するＧＰＳ装置３８等から構成される。
【００２８】
ナビゲーション装置１０は、この現在位置検出装置４２により検出された自車両１４の現在位置（現在地）に基づいて、推奨経路を探索するときの経路探索開始点を決定することができる。
【００２９】
地図データ記憶部３０に記録されている地図データには、上記の推奨経路を演算するために用いられる経路計算データや、交差点名称、道路名称など、推奨経路に従って自車両を目的地まで案内するために用いられる経路誘導データ、道路形状を表す道路データ、さらには海岸線や河川、鉄道、建物など、道路以外の地図形状を表す背景データなどが含まれている。
【００３０】
また、地図データ記憶部３０に記録されている地図データには、施設情報（ＰＯＩ）の名称や位置、ジャンル（種類）、電話番号などを表す施設情報（ＰＯＩデータともいう。）も含まれている。
【００３１】
入力装置３４におけるユーザの操作によって目的地が設定されると、現在位置検出装置４２により検出された現在位置を経路探索開始点として、設定された目的地までの経路演算が経路計算データに基づいて所定のアルゴリズムにより行われ、目的地までの経路が求められる。そして、求められた推奨経路付近の地図が表示部３２に表示され、推奨経路に従って右左折の指示などが適宜行われる。
【００３２】
基本的には以上のように構成されかつ動作するナビゲーション装置１０の施設設置提案機能について、以下、第１実施例をナビゲーション装置１０の位置登録機能を利用して説明し、第２実施例をナビゲーション装置１０の周辺検索機能を利用して説明する。なお、入力装置３４等の操作主体は、乗員等のユーザであり、ナビゲーション装置１０の各種処理、制御を行う主体はＥＣＵ１１であるが、これらをその都度記載すると記載が煩雑となり、発明の理解の妨げとなるので、適宜省略して記載する。
【００３３】
［第１実施例］；位置登録機能の利用
表示部３２の画面上に地図が表示され、その地図上に矢印等がデフォルメされた図示していない自車マーク（自車両１４の現在位置を示すマーク）が表示されている状態において、入力装置３４中のジョイスティック（カーソル操作部）を操作し地図をスクロールさせると、自車マークがカーソル（例えば、丸に十字のカーソル）に変わり、この状態で、入力装置３４中の図示していない設定ボタンを押すと、図３の地図画面１０１に示すように、設定メニュー２０２が子画面で表示される。
【００３４】
図３の地図画面１０１中、子画面の設定メニュー２０２の中で、「位置登録」ボタン２０６を押すと、位置登録機能が実施（選択）され、より詳しくは、位置指定部２２（図２）により、地図データに基づき表示部３２に表示された地図上の所望の位置が指定され、地図中に表示された子画面が、図３に示すように、設定メニュー２０２から新規施設提案確認画面（選択メニュー）２１０に表示変更される（切り替わる）。
【００３５】
選択メニュー２１０には、「どちらかを選択してください。」の依頼表示とともに、「この場所に行きますか」ボタン２１２と、「この場所に新規施設を提案しますか」ボタン（新規施設提案確認ボタン）２１４とが選択可能に表示されている。
【００３６】
この状態で、ユーザが「この場所に新規施設を提案しますか」ボタン２１４を押すと、子画面が、選択メニュー２１０から施設名称選択メニュー２１６に表示変更される。
【００３７】
施設名称選択メニュー２１６には、別のカテゴリーの施設名称を検索するための「カテゴリー検索」ボタン２１８が表示される他、「ご希望の施設名称を選択してください。」の依頼表示の下側に、選択可能な施設名称を表す、「映画館」ボタン２２０、「スキー場」ボタン２２２、「レストラン」ボタン２２４、「公園」ボタン２２６、「ゴルフ場」ボタン２２８、及び「ショッピングモール」ボタン２３０が選択可能に表示される。
【００３８】
この状態で、施設名称選択メニュー２１６から、例えば「映画館」ボタン２２０を押すと、施設設置提案部２６は、指定位置であるカーソル２０１の位置（地点）に、所望の施設である「映画館」の設置を提案するために、通信端末１６、移動通信網１８を介して情報センタ２０に、カーソル２０１の位置情報（地点情報）及びユーザが提案した施設情報（この場合、「映画館」）が提案データとして送信され、サーバ１０２の提案データ記憶部１０４に記憶される。
【００３９】
そして、位置情報及び施設情報がサーバ１０２の提案データ記憶部１０４に記憶されたことの確認通知が、情報センタ２０から移動通信網１８及び通信端末１６を通じてナビゲーション装置本体１１の施設設置提案部２６に送信されると、子画面が、施設名称選択メニュー２１６から確認画面２３２（図３）に表示変更される。
【００４０】
確認画面２３２には、「情報センタへ『映画館』設置希望の位置情報及び施設情報（映画館）が送信されました。」との表示がなされる。
【００４１】
この後、図示しない「現在地」ボタン等を押すことにより、表示部３２の表示が、自車マークが表示された地図画面にもどる。
【００４２】
［第２実施例］；周辺検索機能の利用
入力装置３４を利用したユーザの操作によって、例えば、目的地｛ここでは、図３の左上の地図画面１０１に示される地域「ＨＡＲＰＥＲＳ」中の所定位置（理解の便宜のために、カーソル２０１が表示された位置）とする。｝が設定されたときに、入力装置３４中の図示していない設定ボタンを押すと、地図画面１０１の地図上に、設定メニュー２０２が子画面で表示される。
【００４３】
子画面の設定メニュー２０２の中で、「周辺検索」ボタン２０８を押すと、周辺検索機能が選択され、図３の地図画面１０１の中の設定メニュー２０２表示の子画面が、図４の左上に示すように、周辺検索の検索指定位置選択メニュー２４０に表示変更される。
【００４４】
周辺検索の検索指定位置選択メニュー２４０には、“周辺検索”のタイトル表示２４２とともに、「自車位置周辺」ボタン２４４と、「目的地周辺」ボタン２４６と、「経由地周辺」ボタン２４８とがそれぞれ任意に選択可能に表示される。
【００４５】
この状態で、「目的地周辺」ボタン２４６を押すと、現在位置地図表示が、目的地にカーソル２０１が表示された目的地周辺の地図表示に切り替わるとともに、子画面の表示が、図４の右上に示すように、周辺検索の検索指定位置選択メニュー２４０から上述した施設名称選択メニュー２１６に切り替わる。
【００４６】
施設名称選択メニュー２１６（図４）には、別のカテゴリーの施設名称を検索するための「カテゴリー検索」ボタン２１８が表示される他、「ご希望の施設名称を選択してください。」の依頼表示の下側に、選択可能な施設名称を表す、「映画館」ボタン２２０、「スキー場」ボタン２２２、「レストラン」ボタン２２４、「公園」ボタン２２６、「ゴルフ場」ボタン２２８、及び「ショッピングモール」ボタン２３０が選択可能に表示される。
【００４７】
この状態で、施設名称選択メニュー２１６から、例えば「映画館」ボタン２２０を押すと、施設検索部２４は、指定された位置である目的地を含む所定の範囲内で、例えば、図４の中央に、フローチャートの判断処理２５０として６角形で模式的に描いたように、検索指定位置（この場合、目的地）からの距離が５ｋｍの範囲内に「映画館」が設置されているかどうかを、地図データ記憶部３０を参照し、施設情報を検索する。
【００４８】
施設検索部２４により、５ｋｍ以内に所望の施設である「映画館」が設置されていることが検索された場合には、子画面を図４の右下に示す映画館選択メニュー２５２に切り替える。
【００４９】
映画館選択メニュー２５２には、“映画館”のタイトル表示２５４とともに、具体的な映画館名選択ボタン２５６ａ、２５６ｂ、２５６ｃが、目的地からの距離とともに表示される。例えば、“ＡＢＣ映画館”は、目的地から１ｋｍの距離にあることが分かる。残りの“ＤＥＦ映画館”及び“ＧＨＩ映画館”は、目的地からそれぞれ２ｋｍ、３ｋｍの距離にあることが分かる。
【００５０】
映画館選択メニュー２５２において、所望の映画館が選択されると、ここでは、映画館名選択ボタン２５６ａ、２５６ｂ、２５６ｃのいずれかが押されて所望の映画館として“＊＊＊映画館”が選択されたものとすると、図５の右下の図に示すように、“目的地設定”の確認画面２５８とされ、この“目的地設定”の確認画面２５８で「ＹＥＳ」ボタン（「肯定」ボタン）２６０が押されると、選択された当該“＊＊＊映画館”に目的地が設定される。「ＮＯ」ボタン２６２が押された場合には、施設名称選択メニュー２１６が子画面として表示された地図画面に戻る。
【００５１】
その一方、上述の判断処理２５０の結果、施設検索部２４で、５ｋｍ以内に所望の施設である映画館が設置されていなかった場合には、施設設置提案部２６は、子画面を図４の左下に示す“新規施設を提案しますか”と表示された新規施設提案確認画面２６４に切り替える。
【００５２】
新規施設提案確認画面２６４において、「ＮＯ」ボタン２６８が押された場合には、施設検索部２４により検索されている５ｋｍ以上の範囲に検索された、図５の右上に示す映画館選択メニュー２７０に切り替える。
【００５３】
映画館選択メニュー２７０には、“映画館”のタイトル表示２７２とともに、具体的な映画館名選択ボタン２７４ａ、２７４ｂ、２７４ｃが、目的地からの距離とともに表示される。“ＪＫＬ映画館”は、目的地から１０ｋｍの距離にあり、“ＭＮＯ映画館”及び“ＰＱＲ映画館”は、それぞれ目的地から２０ｋｍ、３０ｋｍの距離にあることが分かる。
【００５４】
映画館選択メニュー２７０において、所望の映画館が選択されると、ここでは、映画館名選択ボタン２７４ａ、２７４ｂ、２７４ｃのいずれかが押されて所望の映画館として“＊＊＊映画館”が選択されたものとすると、図５の右下の図に示すように、“目的地設定”の確認画面２５８とされ、「ＹＥＳ」ボタン２６０が押されると、選択された当該“＊＊＊映画館”に目的地が設定される。「ＮＯ」ボタン２６２が押された場合には、施設名称選択メニュー２１６が子画面として表示された地図画面に戻る。
【００５５】
一方、図４の左下の新規施設提案確認画面２６４において、「ＹＥＳ」ボタン２６６が押された場合には、目的地である提案位置にカーソル２０１が表示された図５の左上の地図画面２７６に示すように、子画面である新規施設提案確認画面２６４が、「ＹＥＳ」ボタン２６６が押し込まれた状態を表す子画面である新規施設提案確認画面２６４に切り替わる。ユーザは、地図画面２７６上のカーソル２０１の提案位置（カーソル２０１の位置）を確認し、位置をずらしたい場合には、入力装置３４中のジョイステック（カーソル操作部）を操作することで位置をずらし、所望の位置で、入力装置３４中の図示していない設定ボタンを押すと、施設設置提案部２６は、指定位置であるカーソル２０１の位置（地点）に、所望の施設である「映画館」の設置を提案するために、通信端末１６、移動通信網１８を介して情報センタ２０に、カーソル２０１の位置情報及びユーザが提案した施設情報（この場合、「映画館」）が提案データとして送信され、サーバ１０２の提案データ記憶部１０４に記憶される。
【００５６】
このとき、位置情報及び施設情報がサーバ１０２の提案データ記憶部１０４に記憶されたことの確認通知が、情報センタ２０から移動通信網１８及び通信端末１６を通じてナビゲーション装置本体１１の施設設置提案部２６に送信されると、子画面が、図５の左下の図に示すように、施設名称選択メニュー２１６から確認画面２３２（図５参照）に表示変更される。
【００５７】
確認画面２３２には、「情報センタへ『映画館』設置希望の位置情報及び施設情報（映画館）が送信されました。」との表示がなされる。
【００５８】
［実施形態の概括的な説明］
以上説明したように、上述した実施形態によれば、ナビゲーション装置１０に実装されている位置登録機能及び周辺検索機能を応用し、ユーザがこの場所に欲しいと考える施設を提案することができる機能をナビゲーション装置１０に実装することができる。すなわち、求める施設を所定の位置（地点）に欲しいときに、場所（地点）と施設（施設名称）を提案することができる。
【００５９】
より具体的には、ナビゲーション装置１０は、基本的には、地図データ記憶部３０と、位置指定部２２と、施設設置提案部２６と、を備える。地図データ記憶部３０は、施設情報を含む地図データを記憶する。位置指定部２２は、前記地図データに基づき表示部３２に表示された地図上の所望の位置を指定する。施設設置提案部２６は、前記指定位置に所望の施設の設置を提案するかどうかの新規施設提案確認画面２１０、２６４を表示し、ユーザが肯定的な操作（新規施設提案確認ボタン２１４、又は「肯定」ボタン２６６の操作）を行ったときに、情報センタ２０に施設の設置を提案する。
【００６０】
上述した第１実施例及び第２実施例によれば、ユーザが地図上で指定した所望の指定位置（カーソル２０１の位置や自車マークの位置）に、映画館等、ユーザが希望する所望の施設の設置を提案する施設設置提案部２６を備えているので、ユーザが所望する位置に、所望の施設が存在しない場合であっても、所望の位置に所望の施設の設置を提案することが可能となり、ユーザの意思を尊重することができる。
【００６１】
この場合、上述した第２実施例によれば、さらに、前記指定位置を中心等として含む所定の範囲（５ｋｍ平方や５ｋｍの円の範囲）内で、前記所望の施設の存在の有無を前記地図データから検索する施設検索部２４を備え、施設設置提案部２６は、施設検索部２４により、前記所定の検索範囲内に、前記所望の施設が存在しないことが確認された場合に、前記指定位置に前記所望の施設の設置を提案するようにしているので、前記指定位置を含む所定の範囲内に所望の施設の設置を提案することができる。
【００６２】
なお、施設設置提案部２６により提案された前記指定位置及び前記所望の施設を表す情報が、外部装置である情報センタ２０（施設設置提案収集設備）に送信されるので、当該情報センタ２０で、例えば、提案された前記指定位置及び前記所望の施設を表す情報を統計処理することができる等、所望の施設の設置提案をより有意義に尊重することができる。
【００６３】
例えば、施設開発会社や、都市計画において、ユーザ（市民）がどこにどのような施設があることを希望しているのかを集計することが容易となり、開発サイドにおいても、ユーザサイドにおいても利点がある。
【００６４】
この実施形態によれば、ナビゲーション装置１０が備える位置登録機能｛簡潔的に説明すれば、ジョイスティック、タッチパッド、又はトラックボール等のポインティングデバイス（入力装置３４）により地図をスクロールさせて、特定のマーク（位置登録マーク、地点マーク）を付けたい場所にカーソル２０１を合わせ設定ボタンや確定ボタンを押すと、地図上に特定のマークが付く機能｝又は周辺検索機能（簡潔的に説明すると、現在地の周辺にある施設、スクロール先の周辺にある施設、又は目的地周辺の施設等を地図上に表示する機能）を選択したときに、施設設置提案部２６が起動して新規施設提案確認画面２１０、２６４を表示し、ユーザに新規施設の設置の提案を行うか否かを問い合わせるようにしているので、ユーザは、施設設置提案機能を意識することなく、位置登録機能や周辺検索機能に付随して新規施設の設置の提案を行うことができる。
【００６５】
なお、この発明は、上述の実施形態に示した車載のナビゲーション装置１０に適用するに限らず、この明細書の記載内容に基づき、ユーザ（人）が携帯可能なナビゲーション装置、あるいは、ナビゲーション機能を有する携帯電話や携帯情報端末に適用する等、この発明の要旨を逸脱することなく、種々の構成を採り得ることはもちろんである。
【符号の説明】
【００６６】
１０…ナビゲーション装置
１１…ナビゲーション装置本体（ナビゲーションＥＣＵ）
１２…提案情報収集システム            １４…車両
１６…通信端末                        １８…移動通信網
２０…情報センタ                      ２２…位置指定部
２４…施設検索部                      ２６…施設設置提案部
１０２…サーバ                        １０４…提案データ記憶部
２１０、２６４…新規施設提案確認画面
【図１】
2012002583.tif 000003
【図２】
2012002583.tif 000004
【図３】
2012002583.tif 000005
【図４】
2012002583.tif 000006
【図５】
2012002583.tif 000007